(57)【要約】【課題】使用者が自由に所望の長さに調整することができる伸縮釣竿を提供する。【解決手段】内外両竿体１０，２０からなり、且つ、これら内外両竿体１０，２０の少なくとも一部（延伸部２０１）が伸縮可能な入れ子管構造となっている伸縮釣竿において、外竿体１０は、管状であり、内竿体２０は、少なくとも一部が管状をなす端部２２となり、また、管状となった端部２２の周壁に、その軸方向に沿って延び端縁２１に開口する切り目２３が複数形成されており、また、複数の切り目２３によって分けられて複数となった端縁２１は外竿体１０の管状内壁に弾性的に押圧可能であり、それにより、内竿体２０を外竿体１０に対して所望の長さまで引き出し可能で、そこに自動的に止めることができる構成とする。【選択図】図２
2010259408.tif 000002
【特許請求の範囲】
【請求項１】
内外両竿体からなり、且つ、これら内外両竿体の少なくとも一部が伸縮可能な入れ子管構造となっている伸縮釣竿において、
前記外竿体は、管状であり、
前記内竿体は、少なくとも一部が管状をなす端部となり、また、該管状となった端部の周壁に、その軸方向に沿って延び端縁に開口する切り目が複数形成されており、
また、前記複数の切り目によって分けられて複数となった前記端縁は前記外竿体の管状内壁に弾性的に押圧可能であり、
それにより、前記内竿体を前記外竿体に対して所望の長さまで引き出し可能で、そこに自動的に止めることができることを特徴とする伸縮釣竿。
【請求項２】
内外両竿体からなり、且つ、これら内外両竿体の少なくとも一部が伸縮可能な入れ子管構造となっている伸縮釣竿において、
前記外竿体は、管状であり、
前記内竿体は、少なくとも一部が管状をなす端部となり、また、該管状となった端部は、その端縁近くの外径が前記外竿体の内径より大きいうえ、その周壁に軸方向に沿って延び端縁に開口する切り目が複数形成されており、
また、前記端縁は、前記複数の切り目によって複数となり、前記外竿体内に入れられることにより、前記外竿体の管状内壁に弾性的に押圧可能であり、
それにより、前記内竿体を前記外竿体に対して所望の長さまで引き出し可能で、そこに自動的に止めることができることを特徴とする伸縮釣竿。
【請求項３】
内外両竿体からなり、且つ、これら内外両竿体の少なくとも一部が伸縮可能な入れ子管構造となっている伸縮釣竿において、
前記外竿体は、管状であって、その中空には、小径となった小径部と大径となった大径部とを連続的に有するうえ、該小径部と該大径部との間の内壁に段部が形成され、
前記内竿体も管状であって、その一部が前記外竿体の小径部に摺動可能に内嵌しており、他の一部が、端部となり、且つ、その端縁近くの外径が前記外竿体の内径より大きいうえ、その周壁に軸方向に沿って延び前記端部の端縁に開口する切り目が複数形成されており、
また、前記端縁は、前記複数の切り目によって複数となり、前記外竿体内に入れられることにより、前記外竿体の管状内壁に弾性的に押圧可能であり、
それにより、前記内竿体を前記外竿体に対して所望の長さまで引き出し可能で、そこに自動的に止めることができることを特徴とする伸縮釣竿。
【請求項４】
前記内竿体の外周壁に、該内竿体が前記外竿体から、前記大径部の方より小径部の方へと所定長さまで引き出されると、前記段部に阻まれて止められる突起部が形成してあることを特徴とする請求項３に記載の伸縮釣竿。
【請求項５】
前記段部と前記突起部との少なくとも一方は、円環形となっていることを特徴とする請求項４に記載の伸縮釣竿。
【請求項６】
前記小径部の内径は、前記大径部の内径と略等しく、前記外竿体の小径部を形成する部分の内壁に摺接部が突設され、この摺接部の内径が前記大径部より小径をなすうえ、前記内竿体の外周壁と当接して摺動可能な関係となっていることを特徴とする請求項３に記載の伸縮釣竿。
【請求項７】
前記小径部の内径は、すべて前記大径部の内径より小さいことを特徴とする請求項３に記載の伸縮釣竿。
【発明の詳細な説明】
【技術分野】
【０００１】
本発明は、釣竿に関し、特に、入れ子管構造をなす伸縮釣竿に関する。
【背景技術】
【０００２】
入れ子管構造をなす釣竿は、伸縮可能であるので、全長を伸ばしたり縮めたりすることができ、使用や収納に非常に便利である。
【０００３】
例を挙げれば、下記非特許文献１に記載されている釣竿は、図１に示すように、外竿体１と、該外竿体１に対して伸縮可能な入れ子管構造となっている内竿体２と、外竿体１の一端に設けられているボトムキャップ３とからなっている。
【０００４】
この従来の釣竿における内外両竿体１，２は、すべて、そのボトムキャップ３に近い後端から反対側の先端に向けて直径が徐々に小さくなるうえ、内竿体２における前記後端近くの外径が外竿体１における先端近くの内径より大きくなっている。また、内竿体２における外周面の、内外両竿体１，２が最小限に縮められた状態における外竿体１の先端のすぐ奥方に、該外竿体１の先端の内周を内から外へ押圧できる支えリング２００を設けた構成とされている。
【０００５】
即ち、従来の釣竿は、図１に破線で示すように、内竿体２が外竿体１から引き出されると、内竿体２の後端が外竿体１の先端近くに圧接して止められ、長さが最大限となりる。また、内竿体２が外竿体１の中に押し込まれると、内竿体２は、その後端が外竿体１の後端近くにあるボトムキャップ３に止められて係止され、長さが最小限となるように伸縮可能な構成になっている。
【０００６】
しかしながら、従来の入れ子管構造となる釣竿は、長さを伸ばしたり縮めたりすることはできるが、全長を最大限とした使用状態と最小限とした収納状態にしかできず、それらの中間位置、即ち最大限と最小限との間の所定位置に係止して使用することはできない。
【先行技術文献】
【非特許文献】
【０００７】
【非特許文献１】ＥＨ−ＶＡ４５３００５磯鯛(商品名、EVER WINNER Inc,製)
【発明の概要】
【発明が解決しようとする課題】
【０００８】
本発明は、従来の入れ子管構造となる釣竿の問題点に鑑みてなされたものであり、全長を最小限と最大限との間の所定位置に自由に調整できる伸縮釣竿の提供を目的とする。
【課題を解決するための手段】
【０００９】
前記目的を達成するために、本発明は、内外両竿体からなり、且つ、これら内外両竿体の少なくとも一部が伸縮可能な入れ子管構造となっている伸縮釣竿において、前記外竿体は、管状であり、前記内竿体は、少なくとも一部が管状をなす端部となり、また、該管状となった端部の周壁に、その軸方向に沿って延び端縁に開口する切り目が複数形成されており、また、前記複数の切り目によって分けられて複数となった前記端縁は前記外竿体の管状内壁に弾性的に押圧可能であり、それにより、前記内竿体を前記外竿体に対して所望の長さまで引き出し可能で、そこに自動的に止めることができることを特徴とする伸縮釣竿を提供する。
【００１０】
なお、前記内竿体の端縁を前記外竿体の管状内壁に弾性的に突っ張るのは、前記端縁を複数の切り目によって分けることにより生じる弾性力によるものであるが、前記端縁が複数の切り目の形成により複数分岐される前の本来の直径が外竿体の内径より小である場合、その構成材料は、複数の切り目の形成により複数分岐された後の直径を前記外竿体の内径より大となるように拡大させる弾性力を発生できるものから選択される必要がある。それに対し、前記端縁が複数の切り目の形成により複数分岐される前の本来の直径が外竿体の内径より大である場合、複数分岐された前記端縁を外周から内方へ押して少々縮径させてから前記外竿体内に挿入すれば良い。そのため、以下でが、後者だけを例に挙げて説明する。
【発明の効果】
【００１１】
前記構成による本発明の伸縮釣竿は、その内竿体の端部における複数の端縁が、外竿体の内壁に弾性的に突っ張っているので、前記内竿体を前記外竿体から所望の長さまで引き出すと、そこに自動的に止められる。即ち、他になんの調整も必要ないため、使用に非常に便利である。
【図面の簡単な説明】
【００１２】
【図１】従来の伸縮釣竿の構成を示す部分断面図である。
【図２】本発明の実施形態における外竿体と内竿体の構成を示す断面図である。
【図３】前記実施形態における外竿体と内竿体とが伸縮可能な入れ子管構造になっている状態を示す断面図である。
【図４】図３のIV−IV線に沿って切断した断面図である。
【図５】前記実施形態の伸縮釣竿の第１変形例の部分斜視図である
【図６】前記実施形態の伸縮釣竿の第２変形例における外竿体と内竿体の構成示す断面図である。
【発明を実施するための形態】
【００１３】
以下、図２から図６を参照しながら、本発明の実施形態及び変形例を説明する。
【００１４】
本実施形態の伸縮釣竿は、図２に示すように、外竿体１０と内竿体２０とからなり、且つ、外竿体１０は握り部となり、内竿体２０は竿本体となっている。
【００１５】
外竿体１０は、管状であって、その中空には、小径となった小径部１０１と、この小径部１０１より大径となった大径部１０２とを連続的に有する。これら小径部１０１と大径部１０２との間（境界）の内壁には段部１０３が形成されている。
【００１６】
また、本実施形態における外竿体１０の小径部１０１は、内径がすべて大径部１０２の内径より小であるのではなく、一部が大径部１０２の内径と等しく、一部が大径部１０２の内径より小となっている断面非円形のものである。もっと具体的に説明すると、外竿体１０の、小径部１０１を有する部分は、図４に示すように、その内径が基本的に大径部１０２の内径と等しいが、その内壁には、頂面が平面となった三つの摺接部１０４が周方向に所定間隔をもって突設されている。即ち、本実施形態における小径部１０１のいわゆる小径とは、この三つの摺接部１０４を有する部分にある内径ｄ１を指す。また、前記段部１０３は、三つの摺接部１０４があることにより、同じく三つに分けられている。言い換えれば、段部１０３は、摺接部１０４における大径部１０２の側に位置する端部により構成されている。
【００１７】
図２及び図３に示すように、内竿体２０は、管状であって、その一部２０１（以下、延伸部と称す）が前記三つの摺接部１０４を介して外竿体１０の小径部１０１と伸縮可能な入れ子管構造となる。また、内竿体２０は、他の一部２０２（以下、本体部と称す）が大径部１０２と伸縮可能な入れ子管構造となる。さらに、内竿体２０の外周壁には、該内竿体２０が外竿体１０に対して、大径部１０２の方より小径部１０１の方へと所定長さまで引き出されると、段部１０３に阻まれて止められる突起部２４が形成してある。即ち、内竿体２０は、突起部２４によって本体部２０２と延伸部２０１とに区画されている。
【００１８】
また、図２に示すように、本体部２０２において、延伸部２０１と離れた端部２２は、本体部２０２と比較して肉厚が特に厚く、その外径Ｄ１が外竿体１０における大径部１０１の内径ｄ２よりある程度大となっている。しかも、本体部２０２の周壁には、その軸方向に沿って延び、端縁２１にかけて開口する切り目２３が周方向に所定間隔をもって複数形成されている。
【００１９】
即ち、内竿体２０における端縁２１は、複数の切り目２３の形成により、その間に複数の舌片が形成され、各舌片が径方向に弾性的に変形することができるようになっている。
【００２０】
それにより、内竿体２０の端縁２１は、図３に示すように、外周から内方へ押された状態で外竿体１０内に入れられると、外竿体１０の管状内壁に弾性的に突っ張る（押圧）ようになり、内竿体２０の外竿体１０に対する摺動を自動的に止める摩擦力を生ずることができる。その結果、外竿体１０の段部１０３に内竿体２０の突起部２４を当接させるまで最大限に伸ばした状態、および、内竿体２０の端部２２が外竿体１０の大径部１０２の端部に位置する最小限に収納した状態の間の希望長さに調整することができる。
【００２１】
前記実施形態の伸縮釣竿における内竿体２０の形成工程は、まず、ロッド状のブランクを作製した後、その端部２２となる箇所に、長さ２０ｍｍ、厚さ１．１ｍｍの層となるように樹脂浸透シート（resinous saturated sheet）を貼る。また、突起部２４を形成する箇所に、長さ５ｍｍ、且つ、外径が外竿体１０の内径より０．１ｍｍ小さい層になるように樹脂浸透シートを貼る。そして、両箇所にＯＰＰテープ（塩素化ポリプロピレン）を巻いてオーブンで加熱成形した後、ＯＰＰテープを取り除く。さらに、延伸部２０１と端部２２の外表面にセンターレス研磨を施し、そして本体部２０２の周壁に複数の切り目２３を形成する。最後に、内竿体２０における延伸部２０１の外表面に、その外径が小径部１０１の内径より０．０１〜０．０２ｍｍだけ小さくなるまで上塗りをする。
【００２２】
前記のように、本実施形態の伸縮釣竿は、外竿体１０を握り部とし、内竿体２０を竿本体としているが、本発明は、これに限らず、例えば、図５に示す第１変形例のように、前記入れ子管構造を釣竿の全体でなく、釣竿の握り部３０だけに応用しても良い。また、本実施形態の伸縮釣竿は、外竿体１０の小径部１０１を三つの摺接部１０４を有する非円形断面としているが、それに限らず、例えば、図６に示す第２変形例のように、摺接部のない円形断面にしても良く、この場合、小径部１０１’は、もちろんすべての内径が大径部１０２’の内径より小になるうえ、内竿体２０’の延伸部２０１’と全面的な摺動関係となった方が良い。
【００２３】
以上のように、本発明の伸縮釣竿構造は、使用者がなんら調整することなく、内竿体を直接に外竿体から所望の長さまで引き出すことができるうえ、そこに自動的に止めることができる。そのため、該構造を釣竿の全体構成に応用すれば、釣竿全体を個人の状況や様々な環境に適する長さに調整することができる。また、釣竿の握り部だけに応用すれば、該握り部だけが伸縮自在になるが、使用者の片手持ち向けと両手持ち向けとの間に長さを自在に変換することができる。
【符号の説明】
【００２４】
１０，１０’外竿体
１０１，１０１’小径部
１０２，１０２’大径部
１０３  階段部
１０４  摺接部
ｄ１  小径部の内径
ｄ２  大径部の内径
２０，２０’内竿体
２０１，２０１’延伸部
２０２  本体部
２１  端縁
２２  端部
２３  切り目
２４  突起部
Ｄ１  端部の外径
３０  握り部
【図１】
2010259408.tif 000003
【図２】
2010259408.tif 000004
【図３】
2010259408.tif 000005
【図４】
2010259408.tif 000006
【図５】
2010259408.tif 000007
【図６】
2010259408.tif 000008